(57)【特許請求の範囲】
【請求項１】
開口を有する円筒状の器具本体と；
半導体発光素子と；
前記円筒状の器具本体内に配設されるバッテリと；
外部電源により前記バッテリを充電する充電制御手段と；
少なくとも前記バッテリの充電状態を表示する報知手段と；
前記バッテリを電源として前記半導体発光素子を点灯させる点灯制御手段と；
前記点灯制御手段により前記半導体発光素子を点灯させる点検信号を受信する受信部と；
前記半導体発光素子、前記報知手段および前記受信部が実装されるとともに、前記円筒状の器具本体の開口に対向して設けられる基板と；
前記基板を介して前記半導体発光素子および前記報知手段に対向して配設される放熱手段と；を備え、
前記基板には、操作により前記バッテリに充電された電力を前記半導体発光素子に供給することで前記半導体発光素子を点灯させるとともに、前記半導体発光素子に対向して設けられる配光制御手段から放射される光を遮らない位置に配設される点検スイッチが設けられ、
前記基板において、前記報知手段、前記受信部および前記点検スイッチは、前記半導体発光素子よりも前記円筒状の器具本体の外周側に設けられることを特徴とする照明装置。
【発明の詳細な説明】
【技術分野】
【０００１】
本発明の実施形態は、照明装置に関する。
【背景技術】
【０００２】
従来の非常用照明装置においては、光源として例えばハロゲンランプ等の白熱灯が使用され、光源と光源を点灯するための点灯装置を電気的に接続するためにリード線が必要であったため、コストと製造工程が増加していた。
【先行技術文献】
【特許文献】
【０００３】
【特許文献１】特開２００９−１０４９２３号公報
【発明の概要】
【発明が解決しようとする課題】
【０００４】
光源がハロゲンランプ等から半導体発光素子に置き換わったとしても、ハロゲンランプ等の光源が使用されていた場合と同様に、光源と光源を点灯するための点灯装置を電気的に接続するためにリード線を用いると、コストと製造工程が増加する課題があった。本発明の実施形態の照明装置は、光源と点灯装置間のリード線を不要にすることができる照明装置を提供することを目的とする。
【課題を解決するための手段】
【０００５】
実施形態の照明装置は、開口を有する円筒状の器具本体と；半導体発光素子と；前記円筒状の器具本体内に配設されるバッテリと；外部電源により前記バッテリを充電する充電制御手段と；少なくとも前記バッテリの充電状態を表示する報知手段と；前記バッテリを電源として前記半導体発光素子を点灯させる点灯制御手段と；前記点灯制御手段により前記半導体発光素子を点灯させる点検信号を受信する受信部と；前記半導体発光素子、前記報知手段および前記受信部が実装されるとともに、前記円筒状の器具本体の開口に対向して設けられる基板と；前記基板を介して前記半導体発光素子および前記報知手段に対向して配設される放熱手段と；を備え、前記基板には、操作により前記バッテリに充電された電力を前記半導体発光素子に供給することで前記半導体発光素子を点灯させるとともに、前記半導体発光素子に対向して設けられる配光制御手段から放射される光を遮らない位置に配設される点検スイッチが設けられ、前記基板において、前記報知手段、前記受信部および前記点検スイッチは、前記半導体発光素子よりも前記円筒状の器具本体の外周側に設けられることを特徴とする。
【発明の効果】
【０００６】
放熱手段が、基板を介して半導体発光素子および報知手段に対向して配設されることにより、半導体発光素子または報知手段からこれらの発光により放出される熱を外部に放出することができるとともに、基板には、操作によりバッテリに充電された電力を半導体発光素子に供給することで半導体発光素子を点灯させる点検スイッチが、半導体発光素子に対向して設けられる配光制御手段から放射される光を遮らない位置に配設されるので、半導体発光素子が非常点灯する際に、配光制御手段から放射される光を遮ることがなく、照明装置の機能の観点から好適な照明装置を提供することができる。
【図面の簡単な説明】
【０００７】
【図１】本発明の第１の実施例を示す照明装置に係る非常灯１００の概念図
【図２】同じく非常灯１００の光源部２００の概念図
【図３】同じく非常灯１００の図１（ｃ）のＹ−Ｙ断面における光源部３００の拡大断面図
【図４】同じく非常灯１００の図１（ｃ）のＹ−Ｙ断面における光源部４００の拡大断面図
【図５】同じく非常灯１００の回路構成を示す説明図
【発明を実施するための形態】
【０００８】
実施形態の照明装置は、一端部に開口面を有する器具本体と；半導体発光素子からなり、開口面に対向して配設される光源と；器具本体内に配設されるバッテリと；外部電源によりバッテリを充電する充電制御手段と；バッテリを電源として光源を点灯させる点灯制御手段と；光源の半導体発光素子が実装されるとともに、充電制御手段および点灯制御手段が載置される基板と；を備えることを特徴とする。
【０００９】
（実施例１）本発明の第１の実施例の照明装置に係る非常灯１００について図面を参照して説明する。図１は本発明の第１の実施例を示す照明装置に係る非常灯１００の概念図であり、図１（ａ）は図１（ｂ）のＸ−Ｘ断面における非常灯１００の断面図、図１（ｂ）は図１（ａ）および図１（ｃ）のＹ−Ｙ断面における非常灯１００の断面図、図１（ｃ）は図１（ｂ）のＡ方向視における非常灯１００の外観図、図２は同じく非常灯１００の光源部２００の概念図であり、図２（ａ）は図１（ｂ）における光源部２００の拡大断面図、図２（ｂ）は図２（ａ）のＡ方向視における光源部２００の一部外観図、図３は同じく非常灯１００の図１（ｃ）のＹ−Ｙ断面における光源部３００の拡大断面図、図４は同じく非常灯１００の図１（ｃ）のＹ−Ｙ断面における光源部４００の拡大断面図、図５は同じく非常灯１００の回路構成を示す説明図である。
【００１０】
本実施例の非常灯１００について、図１を参照して説明する。
【００１１】
本実施例の非常灯１００は、廊下や通路等の天井面に沿い、所定の間隔を有して複数台が埋め込まれて設置される。図１（ａ）〜（ｃ）に示すように、非常灯１００は、器具本体１、枠部材２、光源３、光源３に対向して設けられる第１配光制御手段４、バッテリ５、光源３を点灯させる点灯ユニット６、後述する報知手段７、報知手段７に対向して設けられる第２配光制御手段９、光源３および報知手段７を実装し、点灯ユニット６を載置する基板８、並びに光源３、第１配光制御手段４、報知手段７、第２配光制御手段９、および、基板８を有する光源部２００で構成される。なお、本実施例において、照明装置は、停電時に用いる非常灯１００が好適であるが、これらに限らず、バッテリを電源とする屋内、屋外の全ての照明装置に適用される。また、埋込形の照明装置であっても、直付け形や天吊り形等、他の設置手段で設置される照明装置であってもよい。
【００１２】
なお、本実施例において、「実装」とは、光源や報知手段等と基板を電気的、機械的に接続すること、例えば、はんだ等の材料により接続することを意味し、「載置」とは、基板上に充電制御手段や点灯制御手段等を含む点灯ユニット等が存在し、電気的、機械的接続の有無を問わず実装の意味も包含するものである。
【００１３】
器具本体１は、アルミダイカスト製で、一端に開口面１ａを有する円筒状のケース部材として構成され、器具本体１の内部にバッテリ５および点灯ユニット６が収納される。
【００１４】
器具本体１の開口面１ａには、天井等の被設置部材１２に設けられた設置孔１３を塞ぐための化粧枠の機能を有する枠部材２が嵌合され、開口面１ａの周囲を閉塞している。枠部材２は、器具本体１と同様にアルミダイカスト製で、第１配光制御手段４を枠部材２の表面から突出させ、非常灯１００の外部から光源３が放出する光を視認可能にするために枠部材２の中央部に光源３および第１配光制御手段４に対抗して設けられる略円形の第１配光制御手段用孔部２ａ、後述する点検スイッチ１０の引き紐１０ａを枠部材２の外部に引き出させるために枠部材２の中央部と外周との中間部に設けられるスリット状の開口である点検スイッチ用孔部２ｂおよび断面が略Ｌ字状をなす枠部２ｃ、第２配光制御手段９を枠部材２の表面から突出させ、非常灯１００の外部から報知手段７が放出する光を視認可能にするために報知手段７および第２配光制御手段９に対抗して設けられる略円形の第２配光制御手段用孔部２ｅ等からなり、器具本体１の開口面１ａに枠部２ｃが嵌め込まれ側方から図示しないネジ等の固定手段で支持固定される。
【００１５】
支持具１１は、器具本体１を天井等の被設置部材１２に支持するためのもので、ステンレスの板材をプレス加工して形成した略Ｌ字形の２枚の板バネからなり、Ｌ字の垂直部分を器具本体１の外側面に、径方向に対向して位置させてネジ等で固定する。
【００１６】
この板バネからなる支持具１１は、互いに内方にたわまされた状態で器具本体１と共に、天井面等の被設置部材１２の設置孔１３に挿入され、挿入後は自らの弾性により元の状態に復帰して設置孔１３の内面に圧接し、その圧接力により器具本体１を被設置部材１２に固定する。なお、取り外す場合には、上記と逆の操作を行う。
【００１７】
非常灯１００は、図１に示すように、例えば、枠部材２の直径寸法Ｄ１が９０〜１００ｍｍ程度、器具本体１の直径寸法Ｄ２が約８５ｍｍ、消費電力が１３ＷのＡＣ１００Ｖで駆動する小型の照明装置として構成されてもよい。この際、器具本体１は上述したように器具本体１の直径寸法Ｄ２がわずか約８５ｍｍであり、被設置部材表面１２ａから器具本体１の端部までの高さｈが約６５ｍｍの小型に構成されているので、設置孔１３が小さく済み、施工が容易となる。
【００１８】
バッテリ５は、バッテリケース５ａに収納され、器具本体１の円筒ケース内に、後述する光源部２００の上方に位置させて、枠部材２の器具本体１の内部側に設けられたバッテリ支持部材２ｄ支持されて配設し収納されている。なお、バッテリケース５ａ内には、図１に示すように複数のバッテリ５が組電池として設けられてもよいし、複数の電池が積層され周囲を外殻に覆われた状態で設けられてもよい。バッテリケース５ａはステンレス、アルミニウム等の金属で構成しても、不燃性の合成樹脂から構成されてもよい。
【００１９】
なお、非常灯１００を小型化する観点から、バッテリ５は器具本体１の周囲に沿って設けられ、バッテリケース５ａはこれを内包するようにバッテリ５の正極と負極を結ぶ軸に直交する方向の断面が略Ｕ字状に形成されることが好適である。このように、バッテリ５を器具本体１内部において、後述する光源部２００および点灯ユニット６以外の空間に配置することで、非常灯１００を小型化するとともに、光源３、点灯ユニット６およびバッテリ５のそれぞれから発生する熱による各々の構成要素への影響を低減することができる。
【００２０】
バッテリケース５ａには、図示しない集電体、集電体と点灯ユニット６を電気的に接続するための図示しない接続端子が設けられる。集電体は、図１（ａ）および図１（ｂ）に示されるように、バッテリケース５ａ内に複数のバッテリ５が設けられた場合に複数のバッテリ５を電気的に接続する役割を果たすものである。
【００２１】
バッテリ支持部材２ｄは、枠部材２の器具本体１の内部側に設けられ、バッテリケース５ａの底部を支持することにより、バッテリケース５ａを器具本体１内部において固定および支持する。バッテリ支持部材２ｄは、バッテリケース５ａの底部との当接部分が第１配光制御手段用孔部２ａの周囲を囲むような円弧状に形成される。
【００２２】
バッテリケース５ａは、枠部材２に設けられたバッテリ支持部材２ｄにより器具本体１内部で支持されるのみであるため、枠部材２を器具本体１から取り外すと同時にバッテリケース５ａは、光源３の光の出射方向に移動するものである。よって、バッテリケース５ａは枠部材２を器具本体１から取り外すのみで器具本体１の外部に取り出すことができる。そのため、図１に示すように、円筒形のバッテリ５がバッテリケース５ａに設けられる場合には、バッテリ５の正極と負極を結ぶ軸が光源３の光の出射方向と略並行となることが望ましい。なお、バッテリケース５ａをバッテリ保持部材２ｄのみで器具本体１内部に保持する場合に、枠部材２を器具本体１から取り外すとバッテリケース５ａは、接続端子のみにより器具本体１の内部に設けられた点灯ユニット６または後述する点灯ユニット筐体６ｄに支持されることとなる。このような場合には、バッテリ５およびバッテリケース５ａの重量により、接続端子、点灯ユニット６または点灯ユニット筐体６ｄが破損する虞があるため、バッテリケース５ａ外部と器具本体１内部を接続し、バッテリケース５ａが器具本体１の外部に取り出される場合にバッテリケース５ａを保持する図示しない接続部材が設けられることが好適である。接続部材は、器具本体１の内部において、器具本体１の内側とバッテリケース５ａの外側または点灯ユニット筐体６ｄの外側の空間に収納されるので、具体的にはワイヤ、チェーンなどの線状体であることが望ましい。
【００２３】
接続部材が設けられる場合には、接続部材を取り付けるための接続部材保持手段、具体的にはワイヤ、チェーンなどの接続部材を取り付けるための図示しないフック部が器具本体１の内部または点灯ユニット筐体６ｄの外部に設けられることが、非常灯１００の製造工程および施工時における観点から好適である。
【００２４】
バッテリケース５ａの外部に設けられたフック部にワイヤ、チェーンなどの線状体からなる接続部材の一端を取り付け、接続部材の他端を器具本体１の内部または点灯ユニット筐体６ｄの外部に設けられたフック部に取り付けることにより、枠部材２を器具本体１から取り外した際に、バッテリケース５ａが器具本体１から光源３の光の出射方向に落下することやバッテリケース５ａの落下により接続端子が破損することを防止することができる。
【００２５】
バッテリ５により光源３を点灯させる点灯ユニット６は、器具本体１の内部に設けられた点灯ユニット筐体６ｄに収納され、光源３が実装される基板８上に載置される。基板８は支持部材６ｃに支持されて点灯ユニット筐体６ｄに配設し収納される。点灯ユニット筐体６ｄの内部には、図５に示す外部電源１６によりバッテリ５を充電する充電制御手段６ａおよびバッテリ５を電源として光源３を点灯させる点灯制御手段６ｂが基板８において光源３が実装される実装面８ａの裏側である裏側面８ｂに載置される。
【００２６】
基板８の裏側面８ｂには、点灯ユニット６または光源３等から発生する熱を点灯ユニット筐体６ｄまたは器具本体１の外部に放出させるために、図示しない放熱部材が基板８の裏側面８ｂおよび点灯ユニット筐体６ｄの内側に密着して熱伝導可能なように設けられてもよい。なお、非常灯１００の構成部品を削減する観点から、点灯ユニット筐体６ｄの内側において、基板８を支持する支持部材６ｃを金属等の熱伝導に優れた材料で構成し、点灯ユニット６または光源３等から発生する熱を熱伝導および熱対流により放熱させる放熱部材としての機能を付加させてもよい。
【００２７】
また、基板８を支持部材６ｃにより支持する構成とする場合、基板８上の配線パターンから支持部材６ｃを充分離間するように構成しておくと、例えば、支持部材６ｃと点灯ユニット筐体６ｄまたは器具本体１との絶縁距離を考慮する必要がなくなり、点灯ユニット筐体６ｄまたは器具本体１が金属からなる場合は特に好適である。この場合、支持部材６ｃは絶縁性を考慮して絶縁性の材料、例えば樹脂材料、ゴム等からなることが好適であり、放熱性が向上する構成を電気的な不具合を生じることなく実現することが可能となる。支持部材６ｃに絶縁性の材料を用いた場合には、支持部材６ｃは点灯ユニット６または光源３等から発生する熱を熱対流および熱伝導により、点灯ユニット筐体６ｄまたは器具本体１の外部に放熱させる放熱部材としての機能を兼ね備えることができる。
【００２８】
また、支持部材６ｃは、光源部２００の器具本体１および枠部材２に対して規定された所望の配光制御を維持するための機能を有する。支持部材６ｃを用いない場合、基板８は点灯ユニット筐体６ｄに対して、ガラスレンズ１４のみで支持されることとなるため、枠部材２の取り外し等によって光源部２００の器具本体１に対する位置にずれが生じ、光源部２００の器具本体１および枠部材２に対する所望の配光制御が得られなくなる可能性がある。支持部材６ｃは基板８を点灯ユニット筐体６ｄ内において支持するため、基板８がガラスレンズ１４のみで支持されることがなく、枠部材２の取り外し等においても光源部２００の器具本体１および枠部材２に対する所望の配光制御を維持することができる。
【００２９】
裏側面８ｂには、点検スイッチ１０が実装される。点検スイッチ１０は、非常灯１００に対して法令等で定められた点検等を実施する際に用いられるものであって、例えば、点検スイッチ１０を操作することにより、バッテリ５に充電された電力を光源３に供給し、光源３が正常に点灯するか否かを確かめるためのものである。点検スイッチ１０には操作部として、引き紐１０ａが設けられる。枠部材２には引き紐１０ａの先端部に対向する位置に点検スイッチ用貫通孔２ｂを形成し、点検スイッチ１０の操作部としての引き紐１０ａを挿入して、引き紐１０ａの先端部を枠部材２の外表面、本実施例では枠部材２の下面から突出させ、非常灯１００の外部から点検スイッチ１０の操作ができるように構成する。これにより、光源３、充電制御手段６ａ、点灯制御手段６ｂおよび点検スイッチ１０が共通の１枚の基板８に構成される。なお、引き紐１０ａを非常灯１００の外部に露出させるために、点灯ユニット筐体６ｄおよび基板８に点検スイッチ用貫通孔２ｂに対向してそれぞれ孔部６ｅおよび孔部８ｃが設けられる。
【００３０】
次に、本実施例の非常灯１００の光源部２００について、図１および図２を参照して説明する。
【００３１】
図１および図２に示すように、枠部材２の中央部に設けられた略円形の第１配光制御手段用孔部２ａの略中心の近傍に光源３が対向するようが設けられる。
【００３２】
光源部２００は、光源３、光源３に対向して設けられた第１配光制御手段４、後述する情報を点灯状態により表示し、枠部材２の第１配光制御手段用孔部２ａの周囲に臨むように配設される報知手段７、報知手段７に対向して設けられた第２配光制御手段９並びに光源３および報知手段７が実装される基板８で構成される。なお、光源部２００は、反射体を設けたものを除外するものではなく、小型化を阻害しない機能を有する反射体を設けても差し支えない。
【００３３】
第１配光制御手段４は第１配光制御手段４が枠部材２の第１配光制御手段用孔部２ａから突出するようにして設けられる。なお、第１配光制御手段４と枠部材２は分離可能に設けられる。第１配光制御手段４は基体となるガラスレンズ１４に設けられる。
【００３４】
光源３は半導体発光素子からなり、本実施例では光源３は発光ダイオードで構成し、青色ＬＥＤチップとこの青色ＬＥＤチップにより励起される黄色蛍光体により白色を発光する高輝度、高出力のものである。この発光ダイオードは、一方向に光線が主として放射される。すなわち、図２に示す光源３の光軸ｏ−ｏ方向に光線が主として放射される。発光ダイオードは本実施例では１個用意され、円板状の基板８の実装面８ａ上に枠部材２の中央部に形成された略円形の第１配光制御手段用孔部２ａの略中心の近傍に対向して実装されて支持される。
【００３５】
報知手段７は、例えば、バッテリの充電状態を点灯状態により表示するもので、発光ダイオード等の半導体発光素子から構成される。報知手段７は、第１配光制御手段用孔部２ａの周囲に臨むように配設される。すなわち、ガラスレンズ１４の周囲に臨むように配設され、第１配光制御手段４から放射される光を遮らない位置に配設される。
【００３６】
第１配光制御手段４は、照明装置としての非常灯１００に必要な配光特性を得るための光制御体で、透明なガラスで形成されたレンズ体等が許容される。
【００３７】
図２（ａ）に示すように、ガラスレンズ１４はガラスレンズ凹部１４ａを光源３および報知手段７に対向する位置に有する。ガラスレンズ凹部１４ａの底面には入射面１４ｂが形成される。基板８は光源３および報知手段７が実装された実装面８ａが入射面１４ｂに対向するようにガラスレンズ凹部１４ａ内に設けられる。
【００３８】
図２（ａ）に示すように、光源３および報知手段７にそれぞれ対向して第１配光制御手段４および第２配光制御手段９が枠部材２の第１配光制御手段用孔部１ａおよび第２配光制御手段用孔部２ｅからそれぞれ突出して設けられる。光源３および報知手段７から放出された光は、入射面１４ｂからガラスレンズ１４に入射し、第１配光制御手段４および第２配光制御手段９を介して、第１配光制御手段４および第２配光制御手段９の光の出射方向に対する端部である出射面１４ｃから空間中に放出される。第１配光制御手段４および第２配光制御手段９は、出射面１４ｃに光源３および報知手段７の光の出射方向に凸部を形成することにより構成される。
【００３９】
ガラスレンズ１４は、基板８の実装面８ａにおける当接部分１４ｄに接着剤等の固着手段を設けることにより基板８に固定される。ガラスレンズ１４が基板８に対して動くようなことがあると、光源３と第１配光制御手段４および報知手段７と第２配光制御手段９との位置関係にずれが生じ、所望の光学制御ができなくなることがあるため、ガラスレンズ１４は基板８に対して強固に固定されることが望ましい。
【００４０】
放熱手段１５は、基板８の裏側面８ｂが放熱手段１５の表面に密着するように設けられる。このように放熱手段１５が基板８を介して光源３および報知手段７に対向して配設されることで、光源３または報知手段７からこれらの発光により放出される熱を放熱手段１５により、光源部２００の外部に放出することができる。放熱手段１５は、銅、アルミニウム等の熱伝導率の高い材料や金属材料等から形成されることが好適である。
【００４１】
第１配光制御手段４および第２配光制御手段９は、基板８の実装面８ａから第１配光制御手段４の光源３の光の出射方向に対する端部および第２配光制御手段９の報知手段７の光の出射方向に対する端部までの距離が、図２（ａ）に示すようにそれぞれｄ１およびｄ２となるように形成される。そして、ｄ１はｄ２より大きくなるように形成される。
【００４２】
光源部２００においては、ガラスレンズ１４の出射面１４ｃのみに第１配光制御手段４および第２配光制御手段９を光の出射方向に凸部を形成することにより配設する場合を示したが、第１配光制御手段４および第２配光制御手段９の形成はこれに限られるものではない。
【００４３】
図３に第１配光制御手段４および第２配光制御手段９の変形例として、光源部３００の断面図を示す。
【００４４】
光源部３００は、光源部２００と異なり、ガラスレンズ１４にガラスレンズ凹部１４ａを設けずに、基板８の実装面８ａと光源部２００のガラスレンズ１４の入射面１４ｂが接触するようにガラスレンズ１４を基板８に配設し、かつ、光源３および報知手段７に対向する入射面１４ｂおよび出射面１４ｃの両方に第１配光制御手段４および第２配光制御手段９をそれぞれ配設したことに特徴を有する。
【００４５】
光源部３００のガラスレンズ１４は、入射面１４ｂには、光の出射方向に凹部を形成することにより第１配光制御手段４および第２配光制御手段９を配設し、出射面１４ｃには、光源部２００のガラスレンズ１４と同様に、光の出射方向に凸部を形成することにより第１配光制御手段４および第２配光制御手段９を配設したものである。光源部３００のガラスレンズ１４において、第１配光制御手段４および第２配光制御手段９は入射面１４ｂに形成された凹部および出射面１４ｃに形成された凸部である。
【００４６】
このとき、ｄ１は、基板８の実装面８ａから第１配光制御手段４の凸部端部までの距離としてもよいし、第１配光制御手段４の凹部端部から第１配光制御手段４の凸部端部までの距離としてもよい。なお、ｄ２に関しても同様に、ｄ２を基板８の実装面８ａから第２配光制御手段９の凸部端部までの距離としてもよいし、第２配光制御手段９の凹部端部から第２配光制御手段９の凸部端部までの距離としてもよい。いずれの場合も、ｄ１はｄ２より大きくなるように形成される。
【００４７】
光源放射範囲３１は、光源３から放出される光の範囲を示す。図３に示されるように、第２配光制御手段９は、光源３から放出される光を遮らないように設けられる。すなわち、第２配光制御手段９が光源放射範囲３１に入ることのないように、第２配光制御手段９はガラスレンズ１４に設けられる。
【００４８】
なお、図４の光源部４００の断面図に示すように、第１配光制御手段４および第２配光制御手段９は、光源部２００のガラスレンズ１４の入射面１４ｂに形成された凹部のみから形成されてもよい。このとき、ｄ１およびｄ２は、それぞれ基板８の実装面８ａから第１配光制御手段４の凹部端部までの距離および実装面８ａから第２配光制御手段９の凹部端部までの距離として定められる。なお、この場合も、ｄ１はｄ２より大きくなるように形成される。
【００４９】
また、第１配光制御手段４と第２配光制御手段９は、それぞれ異なる形状であってもよい。例えば、第１配光制御手段４が出射面１４ｃに形成された凸部のみからなり、第２配光制御手段９が入射面１４ｂに形成された凹部のみからなっていてもよい。
【００５０】
次に、非常灯１００の回路構成および動作について、図５を参照して説明する。
【００５１】
点灯ユニット６は、光源３に所定の電流を流して点灯させるように構成されている。
【００５２】
図５に示すように非常灯１００は、商用電源等の外部電源１６に接続される電源端子台１７に、充電制御手段６ａ、停電検出手段６ｇを接続している。
【００５３】
停電検出手段６ｇは電源端子台１７に印加される外部電源１６の電圧が所定時間所定値以下であることを検出したときに、外部電源１６の停電が発生したとして停電検出信号を点灯制御手段６ｂまたは点灯制御部６ｆに与えるものである。なお、電源端子台１７は、器具本体１の外部に設けられてもよいし、器具本体１内部であって点灯ユニット筐体６ｄの外部または点灯ユニット筐体６ｄの内部に設けられてもよい。いずれの場合であっても、バッテリ５およびバッテリケース５ａの取り外し時に、点灯ユニット６および点灯ユニット筐体６ｄを取り外すことなくバッテリ５およびバッテリケース５ａの取り外せる位置、すなわち、バッテリ５およびバッテリケース５ａの取り外し時に障害とならない位置に電源端子台１７は設けられる。
【００５４】
充電制御手段６ａは外部電源１６の交流を所定電圧の直流に変換してバッテリ５に給電し、充電するものである。例えば、バッテリ５がフル充電の状態になると、報知手段７が点灯するように構成してもよい。バッテリ５には非常用点灯回路６ｉが接続されている。
【００５５】
非常用点灯回路６ｉは外部電源１６の停電の非常時に、バッテリ５を電源として光源３を定電流によって点灯させる回路である。そして、非常用点灯回路６ｉは点灯制御部６ｆを介して光源３に接続されている。
【００５６】
点灯制御部６ｆは、外部電源１６の停電等非常時に、その停電を検出する停電検出手段６ｃからの停電検出信号を受けて、光源３を非常用点灯回路６ｉにより所定時間以上点灯させるものである。
【００５７】
また、停電検出手段６ｇには点検回路６ｈが接続される。点検回路６ｈには点検スイッチ１０が接続される。点検スイッチ１０の引き紐１０ａを引っ張ると、点検スイッチ１０がバッテリ５と点灯制御手段６ｂを接続するようにしている。これにより、停電時に、光源３が点灯することの確認がなされる。
報知手段７の動作について述べる。
【００５８】
報知手段７は外部電源１６から供給される電力を用いて、点灯ユニット６の充電制御手段６ａによりバッテリ５が充電を行われ、バッテリ５が略満充電を維持している場合に点灯される。また、光源３が点灯制御部６ｆまたは点灯ユニット６に接続され、バッテリ５から供給される電力により点灯可能な状態にある場合には、報知手段７が点灯される。これらバッテリ５および光源３の状態を報知するための報知手段７がバッテリ５および光源３に対応してそれぞれ設けられてもよい。なお、報知手段７が光源部２００等に１つのみ設けられる場合には、バッテリ５の充電が行われ、バッテリ５が略満充電を維持し、光源３が点灯制御部６ｆまたは点灯ユニット６に接続され、バッテリ５から供給される電力により点灯可能な状態にある場合に点灯する。
【００５９】
また、報知手段７は、点検動作中であることを点灯状態に表示することにより報知させてもよい。例えば、点検スイッチ１０により点検を開始する信号が点検回路６ｈに入力されると、報知手段７は、点灯状態により点灯ユニット６が点検動作を行っていることを報知する。この場合、報知手段７は点灯状態とされてもよいし、点滅状態によって点検動作を非常灯１００の外部に報知させてもよい。
【００６０】
なお、報知手段７は、点検動作のみならず点検結果を報知することができるように構成させてもよい。このときバッテリ５の点検結果における異常の有無および光源３の点検結果における異常の有無により、報知手段７の点灯状態が異なることが、視認性の観点から好適である。
【００６１】
報知手段７として、点検動作中であることを点灯状態に表示することにより報知させる報知手段７と、外部電源１６から供給される電力を用いて、点灯ユニット６の充電制御手段６ａによりバッテリ５が充電を行われ、バッテリ５が略満充電を維持している場合に点灯される報知手段７と、光源３が点灯制御部６ｆまたは点灯ユニット６に接続され、バッテリ５から供給される電力により点灯可能な状態にある場合に点灯される報知手段７をそれぞれ設け、バッテリ５および光源３に対する点検結果をバッテリ５の充電状態を報知する報知手段７および光源３の接続状態を報知する報知手段７にそれぞれ報知させてもよい。
本実施例の効果について述べる。
【００６２】
光源３の半導体発光素子が実装された基板８に充電制御手段６ａおよび点灯制御手段６ｂを載置することにより、光源３と点灯ユニット６間のリード線を不要にすることができる。また、光源３と点灯ユニット６間のリード線がないため、リード線の劣化等による光源３の不点灯を軽減できる。さらに、光源３と点灯ユニット６間のリード線がないため、非常灯１００の製造における組み立て時または施工時に光源３と点灯ユニット６間のリード線不良による光源３の不点灯を防止できる。
【００６３】
光源部２００等に設けられたガラスレンズ１４は、光源３の光軸ｏ−ｏと第１配光制御手段４の中心部との位置関係が固着手段により固着されるので、光源３と第１配光制御手段４との位置関係または報知手段７と第２配光制御手段９との位置関係にずれを生じることがなく、光源３および報知手段７に対する所望の配光特性を得ることができる。
【００６４】
バッテリ５およびバッテリケース５ａは、器具本体１の内部において、枠部材２に設けられたバッテリ支持部材２ｄにより支持されるのみであるため、枠部材２を器具本体１から取り外すことにより、バッテリ５およびバッテリケース５ａを器具本体１の外部に取り出すことができる。
【００６５】
基板８を支持する支持部材６ｃを、例えば、金属等の熱伝導に優れた材料で構成する場合、点灯ユニット６または光源３等から発生する熱を熱伝導および熱対流により放熱させることができる。
【００６６】
また、基板８上の配線パターンから支持部材６ｃを充分離間するように構成しておくと、例えば、支持部材６ｃと点灯ユニット筐体６ｄまたは器具本体１との絶縁距離を考慮する必要がなくなり、放熱性が向上する構成を電気的な不具合を生じることなく実現することが可能となる。
【００６７】
さらに、支持部材６ｃは、基板８を点灯ユニット筐体６ｄ内において支持するため、基板８がガラスレンズ１４のみで支持されることがなく、枠部材２の取り外し等においても光源部２００の器具本体１および枠部材２に対する所望の配光制御を維持することができる。
【００６８】
光源部２００に設けられた第１配光制御手段４は、基板８の実装面８ａから第１配光制御手段４の光源３の光の出射方向に対する端部までの距離が、第２配光制御手段９の実装面８ａから第２配光制御手段９の報知手段７の光の出射方向に対する端部までの距離より大きいため、第１配光制御手段４から放出される光を報知手段７または第２配光制御手段９が遮ることがない。
【００６９】
光源部３００および光源部４００に設けられた第１配光制御手段４は、第１配光制御手段４の光源３の光の出射方向に対する凹部の端部から第１配光制御手段４の光源３の光の出射方向に対する端部までの距離が、第２配光制御手段９の光源３の光の出射方向に対する凹部の端部から第２配光制御手段９の報知手段７の光の出射方向に対する端部までの距離より大きいため、第１配光制御手段４から放出される光を報知手段７または第２配光制御手段９が遮ることがない。
【００７０】
第１の実施例の変形例を以下に述べる。
【００７１】
器具本体１は、一端に開口面１ａを有する円筒状のケース部材として構成しても、角筒状に構成しても、さらには枠体によってケース部材を構成してもよく、一端の開口面１ａを有する全ての本体構成部材が許容される。材質はアルミニウムに限らず、鉄、ステンレス等の金属で構成しても、不燃性の合成樹脂で構成してもよい。
【００７２】
枠部材２は、固定手段を用いずに器具本体１に嵌合により固定されてもよいし、枠部材２の枠部２ｃおよび器具本体１の開口面１ａを形成する器具本体１の側壁に雄ねじ部および雌ねじ部を形成することにより固定してもよい。なお、枠部２ｃは、器具本体１の内側に嵌め込まれるようにして設けられてもよいし、器具本体１の開口面１ａを形成する器具本体１の側壁を外側から覆うようにして設けられてもよい。
【００７３】
また、非常灯１００が直付け形器具の場合には、枠部材２は、器具本体１外面を覆う外ケース部材であってもよく、要は光源部２００、光源部３００または光源部４００の光を放射させるための第１配光制御手段用孔部２ａと器具本体の開口面１ａの周囲を覆うための全ての部材が許容され、材質は器具本体と同様に鉄、ステンレス、アルミニウム等の金属で構成しても、不燃性の合成樹脂で構成してもよい。器具本体１と枠部材２は、同様の材質で構成しても別の材質で構成してもよい。器具本体１と枠部材２は、一体に形成しても別体に形成してもよい。なお、器具本体１と枠部材２が一体に形成される場合、光源部２００、光源部３００または光源部４００は、器具本体１および枠部材２の一体形成部材に対して分離可能、かつ、点灯ユニット６に対して間隔を有して設けられる。
【００７４】
支持具１１は、板バネに限らず、器具本体１を被設置部材１２に固定するための全ての構成および構造が許容される。また、材質はステンレスに限らず、鉄、アルミニウム等の金属で構成しても、不燃性の合成樹脂で構成してもよい。
【００７５】
バッテリ５およびバッテリケース５ａは、器具本体１の内部に配設されることが、火災時の耐熱性における観点から好ましいが、器具本体１の外表面とバッテリケース５ａの外表面が接触するように構成されてもよいし、非常灯１００から離れた位置に別置きができるように構成されてもよい。
【００７６】
点灯ユニット６および点灯ユニット筐体６ｄは、器具本体１の内部に配設されることが好ましいが、器具本体１の外表面と点灯ユニット筐体６ｄの外表面が接触するように構成されてもよいし、非常灯１００から離れた位置に別置きができるように構成されてもよい。
【００７７】
なお、点灯ユニット６は、製造時の工程およびコストを低減させる観点から、基板８の実装面８ａに設けられてもよい。
【００７８】
点検スイッチ１０の操作部は、プッシュ式の押しボタンやシーソー式のボタンであってもよい。点検スイッチ１０の操作部が、例えば、プッシュ式の押しボタンである場合には、第１配光制御手段４から放射される光を遮らない位置に配設されることが、非常灯１００の機能の観点から好ましく、例えば、プッシュ式の押しボタンの先端と第１配光制御手段４の先端部との高さを同一または押しボタンの先端を低くする手段で構成しても、第１配光制御手段４から放射される光の放射角の範囲を避けて配設するなどの手段で構成してもよい。
【００７９】
また、点検スイッチ１０は、点検を開始するための赤外線等の無線信号を受信することができる受光素子から構成されてもよい。
【００８０】
光源３および報知手段７の半導体発光素子は、発光ダイオードやＥＬ（エレクトロルミネッセンス）素子、半導体レーザーなど、半導体を発光源とした発光素子が許容される。また半導体発光素子は、１個の半導体発光素子を基板に配設して構成しても、複数個の半導体発光素子を直線または曲線等をなして配設し線モジュールとして構成しても、半導体発光素子をマトリックス状に配設して矩形状をなすように構成しても、さらには、複数個の半導体発光素子により点モジュールを構成するように円板状に構成してもよく、個数および配設される形状等は特定のものに限定されない。なお、複数個の場合、小面積に密集して用いると光源部２００等および非常灯１００の小型化の観点から好適である。
【００８１】
また、報知手段７は、半導体発光素子以外でも、非常灯１００の小型化を阻害しないような豆電球など小型のランプ等であってもよい。報知手段７の先端と第１配光制御手段４の先端部との高さを同一または報知手段７の先端を低くする手段で構成しても、第１配光制御手段４から放射される光の放射角の範囲を避けて配設するなどの手段で構成してもよい。
【００８２】
第１配光制御手段４または第２配光制御手段９が、円形皿状をなすレンズ体で構成される場合には、第１配光制御手段４または第２配光制御手段９の入射面１４ｂには、断面が凹凸をなすリング状の凹凸部が略同心円状に多数形成されてもよい。
【符号の説明】
【００８３】
１ａ・・・開口面
１・・・器具本体
３・・・光源
５・・・バッテリ
６ａ・・・充電制御手段
６ｂ・・・点灯制御手段
８・・・基板
１００・・・非常灯
【図１】
0005601517.tif 000002
【図２】
0005601517.tif 000003
【図３】
0005601517.tif 000004
【図４】
0005601517.tif 000005
【図５】
0005601517.tif 000006